(57)【要約】【課題】着座者の満足感の低下を抑制することができるスツールを提供する。【解決手段】着座者が座る着座部２１を備え、着座部２１の下方位置に側壁部２ｂが形成されたスツール１であって、側壁部２ｂには、所定の着座方向を向いて着座する着座者の身体の少なくとも一部が向き合う着座機能部（脚接触部２７ｂ）と、着座者の着座に関する機能と無関係とされた着座外機能部（把手３２）と、を備えており、着座外機能部が、着座者の着座方向を案内する着座方向案内構造を有する。【選択図】図１
2015085136.tif 000002
【特許請求の範囲】
【請求項１】
着座者が座る着座部を備え、前記着座部の下方位置に側壁部が形成されたスツールであって、
前記側壁部には、所定の着座方向を向いて着座する前記着座者の身体の少なくとも一部が向き合う着座機能部と、前記着座者の着座に関する機能と無関係とされた着座外機能部と、を備えており、
前記着座外機能部が、前記着座者の着座方向を案内する着座方向案内構造を有することを特徴とするスツール。
【請求項２】
前記着座機能部の表面に、軟質素材によって構成される軟質素材構造が形成され、
前記着座外機能部の表面に、硬質素材によって構成される硬質素材構造が形成されていることを特徴とする請求項１に記載のスツール。
【請求項３】
前記着座外機能部は、前記側壁部における上方位置に形成されており、
前記着座外機能部における上方位置に、把手が設けられていることを特徴とする請求項１又は請求項２に記載のスツール。
【請求項４】
前記側壁部における下方位置に、前記側壁部を保護する保護部材が設けられており、
前記保護部材によって前記着座外機能部が構成されていることを特徴とする請求項１から請求項３のいずれか１項に記載のスツール。
【発明の詳細な説明】
【技術分野】
【０００１】
本発明は、公共施設や待合室等の室内空間に設置して使用されるスツールに関する。
【背景技術】
【０００２】
従来から、着座者が座る着座部を有するスツールが知られている（例えば、特許文献１参照）。このようなスツールは、例えば公共施設や待合室等の室内空間の任意の場所に移動して着座するために使用されている。スツールは背凭れがなく、持ち運びが容易であるため、任意の場所に移動させるためには便利な椅子である。
【０００３】
また、近年においては、スツールの多機能化等を図るため、側面に多機能構造、例えば荷物置きや空気清浄装置などを設けた構造のスツールも考えられている。このような多機能を備えることにより、設置場所の要求に応じ、例えば荷物を持つ者が多いと考えられる待ち合わせ場所等では、荷物置きがあるスツールを設置することで、利用者の満足度を高めることができる。
【先行技術文献】
【特許文献】
【０００４】
【特許文献１】特開平６−２６２９０２号公報
【発明の概要】
【発明が解決しようとする課題】
【０００５】
ところが、スツールの側面に多機能構造を形成した場合、これらの多機能構造を着座者がふさいでしまうと、多機能構造の邪魔となってしまうことが考えられる。この場合、折角の多機能構造を有効に活用することができなくなり、あるいは難しくなってしまい、スツールの着座者の満足感を低下させるおそれがあった。
【０００６】
そこで、本発明の課題は、着座者の満足感の低下を抑制することができるスツールを提供することにある。
【課題を解決するための手段】
【０００７】
上記課題を解決するために本願請求項１に記載した本発明のスツールは、着座者が座る着座部を備え、着座部の下方位置に側壁部が形成されたスツールであって、側壁部には、所定の着座方向を向いて着座する着座者の身体の少なくとも一部が向き合う着座機能部と、着座者の着座に関する機能と無関係とされた着座外機能部と、を備えており、着座外機能部が、着座者の着座方向を案内する着座方向案内構造を有することを特徴とする。
【０００８】
請求項２に記載した本発明のスツールは、請求項１に記載のスツールにおいて、着座機能部の表面に、軟質素材によって構成される軟質素材構造が形成され、着座外機能部の表面に、硬質素材によって構成される硬質素材構造が形成されていることを特徴とする。
【０００９】
請求項３に記載した本発明のスツールは、請求項１又は請求項２に記載のスツールにおいて、着座外機能部は、側壁部における上方位置に形成されており、着座外機能部における上方位置に、把手が設けられていることを特徴とする。
【００１０】
請求項４に記載した本発明のスツールは、請求項１から請求項３のいずれか１項に記載の椅子において、側壁部における下方位置に、側壁部を保護する保護部材が設けられており、保護部材によって着座外機能部が構成されていることを特徴とする。
【００１１】
請求項１に記載した本発明のスツールによれば、着座外機能部が、着座者の着座方向を案内する着座方向案内構造を有するため、着座外機能部に付加機能を設けた場合に、付加機能を有効活用することができる。したがって、着座者の満足感の低下を抑制することができる。
【００１２】
なお、本発明における着座機能部は、着座者の身体の一部が接触することを想定した部位であり、例えば着座するのに快適感を与えるように形成された部分をいう。
【００１３】
また、本発明における着座外機能部は、着座者に与える快適感よりもスツールに付加的に取り付けられる機能部品であり、例えば把手や空気清浄器等、あるいはこれらを保護する壁面等をいう。
【００１４】
さらに、本発明における着座方向案内構造とは、着座者に着座方向を案内する構造であり、着座機能部と着座外機能部との色や材質、形状、素材、質感等を異ならせた構造をいう。
【００１５】
請求項２に記載した本発明のスツールによれば、着座機能部の表面に、軟質素材によって構成される軟質素材構造が形成され、着座外機能部の表面に、硬質素材によって構成される硬質素材構造が形成されているため、着座者の座り心地を良くすることができるとともに、付加機能を有効に活用することができる。
【００１６】
なお、本発明における軟質素材とは、着座者の座り心地を良くすることができる素材であり、例えば布や綿、ウレタン等をいう。
【００１７】
また、本発明における硬質素材とは、例えばスツールに付加的に取り付けられる機能部品を保護しうる素材であり、例えば樹脂や木材、金属等をいう。
【００１８】
請求項３に記載した本発明のスツールによれば、着座外機能部における上方位置に、把手が設けられているので、スツールの持ち運びを容易に行うことができる。また、上方に把手を設けることで、スツールを持ち上げた際のバランスを保ちやすくすることができる。
【００１９】
請求項４に記載した本発明のスツールによれば、側壁部における下方位置に、側壁部を保護する保護部材が設けられており、保護部材によって着座外機能部が構成されているため、側壁部を蹴られた場合などの衝撃等から好適に保護することができる。
【発明の効果】
【００２０】
本発明によれば、着座者の満足感の低下を抑制することができるスツールを提供することができる。
【図面の簡単な説明】
【００２１】
【図１】本発明の第１実施形態に係るスツールを示す斜視図である。
【図２】本発明の第１実施形態に係るスツールを示す分解斜視図である。
【図３】本発明の第１実施形態に係るスツール本体部の張り構造を示す斜視図である。
【図４】本発明の第１実施形態に係る芯材部の内部の形状を示す斜視図である。
【図５】本発明の第１実施形態に係る保護部材と椅子部品を示す斜視図である。
【図６】（ａ）は、第２の実施形態に係るスツールの一方向から見た斜視図、（ｂ）は、他方向見た斜視図である。
【図７】（ａ）、（ｂ）とも、他の例のスツールの斜視図である。
【図８】（ａ）〜（ｈ）とも、他の例のスツールの斜視図である。
【図９】（ａ）〜（ｅ）とも、他の例のスツールの斜視図である。
【図１０】（ａ）〜（ｅ）とも、他の例のスツールの斜視図である。
【発明を実施するための形態】
【００２２】
［１．第１実施形態］
以下、本発明の実施形態について図面を参照して説明する。はじめに、図１から図３を参照して本発明の実施形態に係るスツールの概略構成について説明する。
【００２３】
なお、図１は、本発明の実施形態に係るスツールの概略を示す斜視図である。図２は、本発明の実施形態に係るスツールの分解斜視図である。図３は、本発明の実施形態に係るスツール本体部の張り構造を示す斜視図である。
【００２４】
以下、本発明のスツールの一例として、公共施設や待合室等の室内空間で任意の場所に移動して着座するために使用されるスツールの場合について説明する。
【００２５】
［１―１．スツールの概略構成］
図１から図３に示すように、本発明の実施形態に係るスツール１は、上面視すると楕円形状を有するスツール本体部２と、スツール本体部２の一部を保護する保護部３と、スツール本体部２の下部に設けられたベース部４とから略構成されている。
【００２６】
スツール本体部２は発泡スチロールで形成されており、上面部２ａに位置する着座部２１と、着座部２１の下方（矢印Ｌ方向の位置）に設けられた芯材部２２とを有している。
【００２７】
着座部２１は、着座者が座ることにより臀部や大腿が接触する。このため着座者の座り心地を良くするために、内部にクッション材としてのスラブウレタンＵＬが配置されており、このスラブウレタンＵＬの表面には布ＣＬが張られている（図３参照）。
【００２８】
芯材部２２は、上面視すると楕円形状を有しており、第一の分割体２３ａと、第二の分割体２３ｂとの二分割の分割体２３で構成されている。
【００２９】
第一の分割体２３ａと第二の分割体２３ｂは、同じ金型（図示省略）を使用することにより形成されているため、第一の分割体２３ａと第二の分割体２３ｂは同形状に構成されている。
【００３０】
この、第一の分割体２３ａと第二の分割体２３ｂには、内部に形成された空気孔２４と、第一の分割体２３ａと第二の分割体２３ｂとを接合する凸型接合ボス２５と凹型接合ボス２６がそれぞれ形成されている。分割体２３の詳細は図４を参照して後述する。
【００３１】
また、芯材部２２は、側壁部２ｂに位置し後述する保護カバー３１ａ、３１ｂが当接する保護カバー当接部２７ａと、側壁部２ｂに位置し着座部２１に着座した着座者の脹脛が接触する着座機能部としての脚接触部２７ｂとを有している。
【００３２】
脚接触部２７ｂは、スツール１の短手方向（後述する図４の矢印ＨＤ方向に直交する幅方向）の２箇所から下方（矢印Ｌ方向）に着座部２１から連続して延在して着座方向（矢印ＳＤ方向）を向いて着座した着座者の脹脛と接触する。このため着座者の座り心地を良くするために、内部にクッション材としてのスラブウレタンＵＬが配置されており、このスラブウレタンＵＬの表面には着座部２１とともに布ＣＬが張られている（図３参照）。
【００３３】
保護部（保護部材）３は、着座部２１の下方位置（矢印Ｌ方向の位置）に硬質材料（例えば、ＡＢＳ樹脂）で形成されており、芯材部２２の下部（矢印Ｌ方向）を外部の衝撃から保護する保護カバー３１と、保護部３の上方（矢印Ｕ方向）に設けられた把手３２と、芳香を外部に放出するアロマユニット３３とを有している。保護部３の詳細は図５を参照して後述する。
【００３４】
保護カバー３１は、第一の保護カバー３１ａと、第二の保護カバー３１ｂとの分割体で構成されている。
【００３５】
ベース部４は、合板で形成されたベース板４１と、ベース板４１に形成された吸気孔４２と、スツール１の移動を容易にする低床キャスター４３と、低床キャスター４３が取り付けられるキャスター孔４４が形成されている。
【００３６】
［１−２．芯材部の内部の構成］
次に、図４を参照して、芯材部の内部の構成について説明する。図４は、本発明の実施形態に係る芯材部の内部の形状を示す斜視図である。なお、図４では、第二の分割体２３ｂの内部を図示して説明するが、上述したように、第一の分割体２３ａと第二の分割体２３ｂは同形状に構成されているため、第一の分割体２３ａの内部は第二の分割体２３ｂの内部と同様の形状である。
【００３７】
上述したように、第二の分割体２３ｂには、内部に形成された空気孔２４と、第一の分割体２３ａと第二の分割体２３ｂとを接合する凸型接合ボス２５と凹型接合ボス２６が形成されている。
【００３８】
図４に示すように、空気孔２４は凹形状を有し、上下方向（矢印Ｌ方向又は矢印Ｕ方向）に形成され着座部２１に着座者が座った際に空気孔２４の空気が上方（矢印Ｕ方向）から下方（矢印Ｌ方向）へ流れ、また、着座部２１に座った着座者が立った際に吸気孔４２から入った空気が上方（矢印Ｕ方向）へ流れる空気孔２４ａと、椅子部品としての把手３２や低床キャスター４３、アロマユニット３３が内蔵される空気孔２４ｂとを有している。
【００３９】
第二の分割体２３ｂに凸形状に形成された凸型接合ボス２５は、第１の分割体２３ａと第二の分割体２３ｂを接合した際に第一の分割体２３ａに形成された凹型接合ボス２６に嵌め込まれる。
【００４０】
また、第二の分割体２３ｂに凹形状に形成された凹型接合ボス２６は、第１の分割体２３ａと第二の分割体２３ｂを接合した際に第一の分割体２３ａに形成された凸型接合ボス２５が嵌め込まれる。
【００４１】
［１−３．保護部の構成］
次に、図５を参照して、本発明の実施形態に係る保護部の構成について説明する。図５は、本発明の実施形態に係る保護部と椅子部品を示す斜視図である。なお、図５では、第二の保護カバー３１ｂを図示して説明する。
【００４２】
上述したように、保護部３は、芯材部２２の下部（矢印Ｌ方向）を外部の衝撃から保護する保護カバー３１と、保護部３の上方（矢印Ｕ方向）でスツール本体部２の長手方向（図４の矢印ＨＤ方向）に設けられた把手３２と、芳香を外部に放出するアロマユニット３３とを有している。
【００４３】
保護カバー３１は硬質材料（例えば、ＡＢＳ樹脂）で形成されており、図５に示すように、芯材部２２の下部（矢印Ｌ方向）であって楕円形状の外周面側を保護する外周部３１ｃと、スツール１の長手方向（図４の矢印ＨＤ方向）の２箇所から上方（矢印Ｕ方向）に延在させた延在部３１ｄとを有している。
【００４４】
外周部３１ｃは、接合した分割体２３を保護カバー３１により挟持すると、芯材部２２の下部（矢印Ｌ方向）であって楕円形状の外周にわたって位置し、発泡スチロールで形成された芯材部２２を外部の衝撃から保護する。
【００４５】
延在部３１ｄは、スツール本体部２の側壁部２ｂに位置し、上方位置（矢印Ｕ方向の位置）にはスツール１を持ち上げることが可能な把手３２が取り付けられる把手取付孔３４と、アロマユニット３３が取り付けられるユニット取付孔３５が形成されている。この把手３２は、スツール１の長手方向（図４の矢印ＨＤ方向）の一方と他方に取り付けられる。
【００４６】
把手３２は、硬質材料で形成された延在部３１ｄの内側（矢印ＩＳ方向）からビス留めすることにより把手取付孔３４に取り付けられ、凹形状を有する空気孔２４ｂに内蔵される。
【００４７】
アロマユニット３３は、延在部３１ｄの外側（矢印ＯＳ方向）から取り付けられるユニット本体３６と、ユニット本体３６に設けられたラッチ受け座３７と、ユニット本体３６が収容されるユニット受けカバー３７と、ユニット受けカバー３７に設けられてラッチ受け座３７と当接するプッシュラッチ３９とを有している。
【００４８】
このアロマユニット３３は、内側（矢印ＩＳ方向）から取り付けられるユニット受けカバー３７にユニット本体３６を収容し、ユニットカバー３７をビス留めすることによりユニット取付孔３５に取り付けられ、凹形状を有する空気孔２４ｂに内蔵される。
【００４９】
［１−４．組み立て方法］
次に、図１から図５を参照して、本発明の実施形態に係るスツールの組み立て方法について説明する。
【００５０】
はじめに、凸型接合ボス２５を凹型接合ボス２６に嵌め込むことにより第一の分割体２３ａと第二の分割体２３ｂとを接合して発泡スチロールのスツール本体部２を形成する。
【００５１】
次に、着座部２１と脚接触部２７ｂにクッション材としてのスラブウレタンＵＬを接着して配置し、スラブウレタンＵＬの表面にミシンで袋状に縫った布ＣＬを被せる。そして、スツール本体部２の芯材２２の下方（矢印Ｌ方向）で布ＣＬをステープラーで止めることによりスツール本体部２の表面に布ＣＬを張る（図３参照）。
【００５２】
次に、布ＣＬを張ったスツール本体部２に把手３２やアロマユニット３３が内蔵される空気孔２４ｂに対応する位置に切り込みを入れてベース板４１に接着する。
【００５３】
次に、第一の保護カバー３１ａと第二の保護カバー３１ｂで芯材部２２の分割体２３を挟持することにより、布ＣＬを張ったスツール本体部２に保護カバー３１を取り付ける。スツール本体部２に保護カバー３１を取り付けると、上述した切り込みから把手取付孔３４に把手３２が取り付けられ、切り込みからユニット取付孔３５にアロマユニット３３が取り付けられる。
【００５４】
そして、芯材部２２の分割体２３を挟持した第一の保護カバー３１ａと第二の保護カバー３１ｂをベース板にビス留めし、ベース板４２に低床キャスター４３を取り付ける。
【００５５】
［１−５．第１実施形態の作用効果］
このようにして、本発明の第１実施形態に係るスツール１は、着座者が座る着座部２１を備え、着座部２１の下方位置（図５の矢印Ｌ方向）に側壁部２ｂが形成されたスツール１であって、側壁部２ｂには、所定の着座方向（図１の矢印ＳＤ方向）を向いて着座する着座者の身体の少なくとも一部が向き合う着座機能部（脚接触部２７ｂ）と、着座者の着座に関する機能と無関係とされた着座外機能部（保護部３、把手３２、アロマユニット３３）と、を備えており、着座外機能部が、着座者の着座方向を案内する着座方向案内構造を有する。
【００５６】
また、本発明の第１実施形態に係るスツール１は、着座機能部（脚接触部２７ｂ）の表面に、軟質素材（布、ウレタン等）によって構成される軟質素材構造が形成され、着座外機能部（保護部３、把手３２、アロマユニット２２）の表面に、硬質素材（樹脂等）によって構成される硬質素材構造が形成されている。
【００５７】
さらに、本発明の第１実施形態に係るスツール１は、着座外機能部（保護部３）は、側壁部２ｂにおける上方位置（図５の矢印Ｕ方向）に形成されており、着座外機能部（保護部３）における上方位置に、把手３２が設けられている。
【００５８】
また、本発明の第１実施形態に係るスツール１は、側壁部２ｂにおける下方位置（図５の矢印Ｌ方向）に、側壁部２ｂを保護する保護部材（保護部３）が設けられており、保護部材によって着座外機能部（保護部３、把手３２）が構成されている。
【００５９】
そして、本発明の第１実施形態に係るスツール１によれば、着座外機能部（保護部３、把手３２）が、着座者の着座方向（図１の矢印ＳＤ方向）を案内する着座方向案内構造を有するため、着座外機能部（保護部３）に付加機能を設けた場合に、付加機能を有効活用することができる。したがって、着座者の満足感の低下を抑制することができる。
【００６０】
つまり、スツール１が芯材部２２に設けられ保護部３から芳香を放出するアロマユニット３３を有する場合、非着座方向（図１の矢印ＳＤ方向以外の方向）に着座者が座ると、アロマユニット３３から放出される芳香を着座者の太腿で塞いでしまいアロマユニット３３を有効に活用することができず満足感が低下する。
【００６１】
そこで、本発明の第１実施形態に係るスツール１は、表面が軟質材料である布で覆われて着座部２１から連続した脚接触部２７ｂと、硬質材料の保護部３とにより、脚接触部２７ｂが位置する着座方向（図１の矢印ＳＤ方向）を案内する。例えば、着座者の身体が接触する部分を柔らかい材質、接触せず着座に無関係な部分を硬い材質で構成することにより柔らかい材質が身体と接触する着座方向（図１の矢印ＳＤ方向）へ着座者を案内して非着座方向（図１の矢印ＳＤ方向以外の方向）での着座を抑制する。
【００６２】
従って、着座者の満足感の低下を抑制することができるスツール１を提供することができる。
【００６３】
また、本発明の第１実施形態に係るスツール１によれば、着座機能部（脚接触部２７ｂ）の表面に、軟質素材（スラブウレタンＵＬ、布ＣＬ）によって構成される軟質素材構造が形成され、着座外機能部（保護部３、把手３２）の表面に、硬質素材（ＡＢＳ樹脂等）によって構成される硬質素材構造が形成されているため、着座者の座り心地を良くすることができるとともに、付加機能を有効に活用することができる。
【００６４】
つまり、着座機能部（脚接触部２７ｂ）の表面を軟質素材で形成することにより、着座者が硬い素材の部分を避けて柔らかい素材の部分に着座しようとすることから、着座者が着座方向（矢印ＳＤ方向）へ誘導されて非着座方向（図１の矢印ＳＤ方向以外の方向）での着座を抑制することができる。
【００６５】
さらに、本発明の第１実施形態に係るスツール１によれば、着座外機能部（保護部３、把手３２）における上方位置（図５の矢印Ｕ方向）に、把手３２が設けられているので、スツール１の持ち運びを容易に行うことができる。また、上方に把手３２を設けることで、スツール１を持ち上げた際のバランスを保ちやすくすることができる。
【００６６】
また、硬質素材によって構成された着座外機能部（保護部３）に把手３２を設けることにより、スツール１を持ち上げて移動した場合のみならず、持ち上げずに引っ張りながら移動した際に応力がかかる把手３２部分の強度を増加させることができる。
【００６７】
さらに、スツール１の長手方向（図４の矢印ＨＤ方向）に把手３２を設けることにより、スツール１を持ち上げ易くすることができる。
【００６８】
また、本発明の第１実施形態に係るスツール１は、側壁部２ｂにおける下方位置（図５の矢印Ｌ方向）に、側壁部２ｂを保護する保護部材（保護部３）が設けられており、保護部材によって着座外機能部（保護部３、把手３２）が構成されているため、側壁部２ｂを蹴られた場合などの衝撃等から好適に保護することができる。
【００６９】
つまり、保護部材が設けられていない場合、他の硬質部材が衝突、着座者のつま先やかかと等が衝突した際、スツールに凹みが生じてしまい製品の美観を損なう。しかし、本発明の実施形態に係るスツール１のように、上記のような衝突が想定される箇所である側壁部２ｂに保護部材（保護部３の外周部３１ｃ）を設けて保護することにより、製品の美観と強度を長期間にわたって保つことができる。
【００７０】
［２．第２実施形態］
次に、図６を参照して、本発明の第２実施形態に係るスツールについて説明する。図６（ａ）は、本発明の第２の実施形態に係るスツールの一方向から見た斜視図である。図６（ｂ）は、本発明の第２実施形態に係るスツールの他方向から見た斜視図である。
【００７１】
なお、本発明の第２実施形態に係るスツールは、本発明の第１実施形態に係るスツールと略同様の構成等を有するため、同様の構成に関しては説明を省略するものとする。また、第１実施形態に係るスツールと同様の構成要素には同一の符号を付して説明する。
【００７２】
［２−１．第２実施形態のスツールの概略］
図６に示すように、本発明の第２実施形態に係るスツール１０１は、上面視すると略矩形形状を有するスツール本体部２と、スツール本体部２の下方（矢印ＬＰ方向）を保護する保護部１０３とから略構成されている。
【００７３】
スツール本体部２は、上面部２ａに位置する着座部２１と、側壁部２ｂに位置し着座機能部としての脚接触部２７ｂとを有している。
【００７４】
脚接触部２７ｂは、スツール本体部２の側壁部２ｂの１箇所が着座部２１から下方（矢印ＬＰ方向の位置）に連続して延在しており、着座方向（矢印ＳＤ方向）を向いて着座した着座者の脹脛と接触する。
【００７５】
着座部２１と脚接触部２７ｂには、本発明の第１実施形態に係るスツール１の着座部２１と脚接触部２７ｂと同様に、着座者の座り心地を良くするために、内部にクッション材としてのスラブウレタンＵＬが配置されており、このスラブウレタンＵＬの表面には布ＣＬが張られている（図３参照）。
【００７６】
保護部（保護部材）１０３は、着座部２１の下方位置（矢印ＬＰ方向の位置）に硬質材料（木材、ＡＢＳ樹脂）で矩形形状に形成されており、アロマユニット３３と、アロマユニット３３が取り付けられるユニット受けカバー３８と、ユニット受けカバー３８が内蔵されるユニット孔１３５とを有している。
【００７７】
本発明の第２実施形態に係るスチール１０１は、着座部２１と保護部１０３によって指を挿入可能な凹部１２４が形成されており、この凹部１２４に指を挿入してスツール１０１を持ち上げることが可能に構成されている。
【００７８】
［２−２．第２実施形態の着座方向］
上記のように構成された本発明の第２実施形態に係るスツール１０１は、スツール本体部２の側壁部２ｂの１箇所に脚接触部２７ｂが位置し、スツール本体部２の側壁部２ｂの３箇所に保護部１０３が位置する。保護部１０３にはアロマユニット３３が取り付けられる。
【００７９】
このように、本発明の第２実施形態に係るスツール１０１では、スツール本体部２の側壁部２ｂの１箇所に表面が布で覆われて着座部２１から連続した脚接触部２７ｂが位置し、スツール本体部２の側壁部２ｂの３箇所に硬質材料の保護部１０３が位置することにより、着座者へ脚接触部２７ｂが位置する１箇所の着座方向（矢印ＳＤ方向）での着座を案内する。
【００８０】
［２−３．第２実施形態の作用効果］
上述したように構成された本発明の第２実施形態に係るスツール１０１であっても、本発明の第１実施形態に係るスツール１と同様の作用効果が得られる。
【００８１】
つまり、本発明の第２実施形態に係るスツール１０１によれば、着座外機能部（保護部１０３）が、着座者の着座方向（矢印ＳＤ方向）を案内する着座方向案内構造を有するため、着座外機能部（保護部１０３）に付加機能（アロマユニット３３等）を設けた場合に、付加機能を有効活用することができる。したがって、着座者の満足感の低下を抑制することができる。
【００８２】
また、本発明の第２実施形態に係るスツール１０１によれば、着座機能部（脚接触部２７ｂ）の表面に、軟質素材（スラブウレタンＵＬ、布ＣＬ）によって構成される軟質素材構造が形成され、着座外機能部（保護部１０３）の表面に、硬質素材（木材、ＡＢＳ樹脂）によって構成される硬質素材構造が形成されているため、着座者の座り心地を良くすることができるとともに、付加機能（アロマユニット３３等）を有効に活用することができる。
【００８３】
さらに、本発明の第２実施形態に係るスツール１０１によれば、着座外機能部（保護部１０３）における上方位置に、凹部１２４による把手が設けられているので、スツール１０１の持ち運びを容易に行うことができる。また、上方に把手を設けることで、スツール１０１を持ち上げた際のバランスを保ちやすくすることができる。
【００８４】
また、本発明の第２実施形態に係るスツール１０１は、側壁部２ｂにおける下方位置（図６の矢印ＬＰ方向）に、側壁部２ｂを保護する保護部材（保護部１０３）が設けられており、保護部材１０３によって着座外機能部（保護部１０３）が構成されているため、側壁部２ｂを蹴られた場合などの衝撃等から好適に保護することができる。
【００８５】
［３．他の実施形態の着座方向と作用効果］
次に、図７から図１０を参照して、本発明の他の実施形態に係るスツールについて説明する。図７から図１０は、本発明の実施形態に係る他の例のスツールの斜視図である。
【００８６】
なお、本発明の他の実施形態に係るスツールは、本発明の第１実施形態に係るスツールと略同様の構成等を有するため、同様の構成に関しては説明を省略するものとする。また、第１実施形態に係るスツールと同様の構成要素には同一の符号を付して説明する。
【００８７】
図７（ａ）に示すように、他の実施形態に係るスツール４０１は、略四角柱形状を有しており、スツール本体部２の側面における３箇所に表面が布で覆われて着座部２１から連続した脚接触部２７ｂが位置し、スツール本体部２の側面における１箇所にアロマユニット３３や把手３２が設けられた硬質材料の保護部３が位置することにより、脚接触部２７ｂが位置する３箇所の着座方向（矢印ＳＤ方向）での着座を案内する。
【００８８】
図７（ｂ）に示すように、他の実施形態に係るスツール５０１は、上面視すると略円形形状を有しており、スツール本体部２の側面の一部に表面が布で覆われて着座部２１から連続した脚接触部２７ｂが位置し、スツール本体部２の側面の一部にアロマユニット３３や把手３２が設けられた硬質材料の保護部３が位置することにより、保護部３が位置する非着座方向（矢印ＵＤ方向）以外の着座方向での着座を案内する。
【００８９】
また、図７に示す他の実施形態に係るスツール４０１、５０１は、本発明の第１実施形態に係るスツール１と同様に、着座部２１と脚接触部２７ｂには着座者の座り心地を良くするために、内部にクッション材としてのスラブウレタンＵＬが配置されており、このスラブウレタンＵＬの表面には布ＣＬが張られている。
【００９０】
なお、図７に示す他の実施形態に係るスツール４０１及び５０１であっても、本発明の第１実施形態に係るスツール１と同様の作用効果が得られる。
【００９１】
つまり、本発明の他の実施形態に係るスツール４０１、５０１によれば、着座外機能部（保護部３）が、着座者の着座方向（矢印ＳＤ方向）を案内する着座方向案内構造を有するため、着座外機能部（保護部３）に付加機能（アロマユニット等）を設けた場合に、付加機能を有効活用することができる。したがって、着座者の満足感の低下を抑制することができる。
【００９２】
また、本発明の他の実施形態に係るスツール４０１、５０１によれば、着座機能部（脚接触部２７ｂ）の表面に、軟質素材（スラブウレタンＵＬ、布ＣＬ）によって構成される軟質素材構造が形成され、着座外機能部（保護部３）の表面に、硬質素材（ＡＢＳ樹脂、木材）によって構成される硬質素材構造が形成されているため、着座者の座り心地を良くすることができるとともに、付加機能（アロマユニット等）を有効に活用することができる。
【００９３】
さらに、本発明の他の実施形態に係るスツール４０１、５０１によれば、図６に示すように着座外機能部（保護部３）における上方位置に把手３２が設けられているので、スツール４０１、５０１の持ち運びを容易に行うことができる。また、上方に把手３２を設けることで、スツール４０１、５０１を持ち上げた際のバランスを保ちやすくすることができる。
【００９４】
また、本発明の他の実施形態に係るスツール４０１、５０１は、側壁部における下方位置に、側壁部を保護する保護部材（保護部３）が設けられており、保護部材によって着座外機能部（保護部３）が構成されているため、側壁部を蹴られた場合などの衝撃等から好適に保護することができる。
【００９５】
図８（ａ）に示すように、他の実施形態に係るスツール６０１は、略四角柱形状を有しており、スツール本体部２の側面に表面が布で覆われて着座部２１から連続した脚接触部２７ｂが位置し、把手３２が設けられた硬質材料の保護部３が、スツール本体部２の側面における少なくとも１箇所において脚接触部２７ｂの表面側に位置することにより、保護部３が位置する非着座方向（矢印ＵＤ方向）以外の着座方向での着座を案内する。
【００９６】
図８（ｂ）に示すように、他の実施形態に係るスツール６０３は、略四角柱形状を有しており、スツール本体部２の側面に表面が布で覆われて着座部２１から連続した脚接触部２７ｂが位置し、スツール本体部２の側面における２箇所において把手３２ａ、３２ｂが形成された硬質材料の保護部３が脚接触部２７ｂの表面側に位置することにより、保護部３が位置する非着座方向（矢印ＵＤ方向）以外の着座方向での着座を案内する。
【００９７】
図８（ｃ）に示すように、他の実施形態に係るスツール６０５は、略四角柱形状を有しており、スツール本体部２の側面に表面が布で覆われて着座部２１から連続した脚接触部２７ｂが位置し、スツール本体部２の側面における少なくとも１箇所であって、スツール本体部２の下部に空間を有する硬質材料の保護部３が脚接触部２７ｂの表面側に位置することにより、保護部３が位置する非着座方向（矢印ＵＤ方向）以外の着座方向での着座を案内する。
【００９８】
図８（ｄ）に示すように、他の実施形態に係るスツール６０６は、略四角柱形状を有しており、スツール本体部２の側面における２箇所に表面が布で覆われて着座部２１から連続して延在する脚接触部２７ｂが位置し、スツール本体部２の側面における２箇所に把手３２が設けられた硬質材料の保護部３が位置することにより、スツール本体部２の下部へ延在した脚接触部２７ｂが位置する２箇所の着座方向（矢印ＳＤ方向）での着座を案内する。
【００９９】
また、図８に示す他の実施形態に係るスツール６０１、６０３、６０５、６０６は、本発明の第１実施形態に係るスツール１と同様に、着座部２１と脚接触部２７ｂには着座者の座り心地を良くするために、内部にクッション材としてのスラブウレタンＵＬが配置されており、このスラブウレタンＵＬの表面には布ＣＬが張られている。
【０１００】
なお、図８に示す他の実施形態に係るスツール６０１、６０３、６０５、６０６であっても、本発明の第１実施形態に係るスツール１と同様の作用効果が得られる。
【０１０１】
つまり、本発明の他の実施形態に係るスツール６０１、６０３、６０５、６０６によれば、着座外機能部（保護部３）が、着座者の着座方向（矢印ＳＤ方向）を案内する着座方向案内構造を有するため、着座外機能部（保護部３）に付加機能（アロマユニット等）を設けた場合に、付加機能を有効活用することができる。したがって、着座者の満足感の低下を抑制することができる。
【０１０２】
また、本発明の他の実施形態に係るスツール６０１、６０３、６０５、６０６によれば、着座機能部（脚接触部２７ｂ）の表面に、軟質素材（スラブウレタンＵＬ、布ＣＬ）によって構成される軟質素材構造が形成され、着座外機能部（保護部３）の表面に、硬質素材（ＡＢＳ樹脂、木材）によって構成される硬質素材構造が形成されているため、着座者の座り心地を良くすることができるとともに、付加機能（アロマユニット等）を有効に活用することができる。
【０１０３】
さらに、本発明の他の実施形態に係るスツール６０１、６０３、６０５、６０６によれば、図８に示すように着座外機能部（保護部３）における上方位置に把手３２が設けられているので、スツール６０１、６０３、６０５、６０６の持ち運びを容易に行うことができる。また、上方に把手３２を設けることで、スツール６０１、６０３、６０５、６０６を持ち上げた際のバランスを保ちやすくすることができる。
【０１０４】
また、本発明の他の実施形態に係るスツール６０１、６０３、６０５、６０６は、側壁部における下方位置に、側壁部を保護する保護部材（保護部３）が設けられており、保護部材によって着座外機能部（保護部３）が構成されているため、側壁部を蹴られた場合などの衝撃等から好適に保護することができる。
【０１０５】
図９（ａ）に示すように、他の実施形態に係るスツール７０１は、上面視すると略三角形状を有しており、スツール本体部２の側面における一部に表面が布で覆われて着座部２１から連続した脚接触部２７ｂが保護部３の表面側に位置し、把手３２が設けられた硬質材料の保護部３がスツール本体部２の側面における一部に位置することにより、把手３２が設けられた保護部３が位置する非着座方向（矢印ＵＤ方向）以外の着座方向での着座を案内する。
【０１０６】
図９（ｂ）に示すように、他の実施形態に係るスツール７０２は、略円柱形状を有しており、スツール本体部２の側面に表面が布で覆われて着座部２１から連続した脚接触部２７ｂが位置し、スツール本体部２の側面における２箇所に把手３２ａ、３２ｂが形成された硬質材料の保護部３が位置することにより、把手３２ａ、３２ｂが形成された保護部３が位置する非着座方向（矢印ＵＤ方向）以外の着座方向での着座を案内する。
【０１０７】
図９（ｃ）に示すように、他の実施形態に係るスツール７０３は、略円柱形状を有しており、スツール本体部２の側面に表面が布で覆われて着座部２１から連続した脚接触部２７ｂが位置し、スツール本体部２の側面における一部に凹形状に形成された硬質材料の保護部３が位置することにより、凹形状が形成された保護部３が位置する非着座方向（矢印ＵＤ方向）以外の着座方向での着座を案内する。
【０１０８】
図９（ｄ）に示すように、他の実施形態に係るスツール７０４は、上面視すると略三角形状を有しており、スツール本体部２の側面における一部に表面が布で覆われて着座部２１から連続して延在する脚接触部２７ｂが位置し、把手３２ａ、３２ｂが形成された硬質材料の保護部３がスツール本体部２の側面における一部に位置することにより、把手３２ａ、３２ｂが形成された保護部３が位置する非着座方向ではなく、延在する脚接触部２７ｂが位置する着座方向（矢印ＳＤ方向）での着座を案内する。
【０１０９】
また、図９に示す他の実施形態に係るスツール７０１、７０２、７０３、７０４は、本発明の第１実施形態に係るスツール１と同様に、着座部２１と脚接触部２７ｂには着座者の座り心地を良くするために、内部にクッション材としてのスラブウレタンＵＬが配置されており、このスラブウレタンＵＬの表面には布ＣＬが張られている。
【０１１０】
なお、図９に示す他の実施形態に係るスツール７０１、７０２、７０３、７０４であっても、本発明の第１実施形態に係るスツール１と同様の作用効果が得られる。
【０１１１】
つまり、本発明の他の実施形態に係るスツール７０１、７０２、７０３、７０４によれば、着座外機能部（保護部３）が、着座者の着座方向（矢印ＳＤ方向）を案内する着座方向案内構造を有するため、着座外機能部（保護部３）に付加機能（アロマユニット等）を設けた場合に、付加機能を有効活用することができる。したがって、着座者の満足感の低下を抑制することができる。
【０１１２】
また、本発明の他の実施形態に係るスツール７０１、７０２、７０３、７０４によれば、着座機能部（脚接触部２７ｂ）の表面に、軟質素材（スラブウレタンＵＬ、布ＣＬ）によって構成される軟質素材構造が形成され、着座外機能部（保護部３）の表面に、硬質素材（ＡＢＳ樹脂、木材）によって構成される硬質素材構造が形成されているため、着座者の座り心地を良くすることができるとともに、付加機能（アロマユニット等）を有効に活用することができる。
【０１１３】
さらに、本発明の他の実施形態に係るスツール７０１、７０２、７０３、７０４によれば、図９に示すように着座外機能部（保護部３）における上方位置に把手３２が設けられているので、スツール７０１、７０２、７０３、７０４の持ち運びを容易に行うことができる。また、上方に把手３２を設けることで、スツール７０１、７０２、７０３、７０４を持ち上げた際のバランスを保ちやすくすることができる。
【０１１４】
また、本発明の他の実施形態に係る７０１、７０２、７０３、７０４は、側壁部における下方位置に、側壁部を保護する保護部材（保護部３）が設けられており、保護部材によって着座外機能部（保護部３）が構成されているため、側壁部を蹴られた場合などの衝撃等から好適に保護することができる。
【０１１５】
図１０（ａ）に示すように、他の実施形態に係るスツール８０１は、略円柱形状を有しており、スツール本体部２の側面における一部に表面が布で覆われて着座部２１から連続して延在する脚接触部２７ｂが保護部３の表面側に位置し、スツール本体部２の側面における少なくとも１箇所に把手３２が設けられた硬質材料の保護部３が位置することにより、把手３２が形成された保護部３が位置する非着座方向（矢印ＵＤ方向）以外の着座方向での着座を案内する。
【０１１６】
図１０（ｂ）に示すように、他の実施形態に係るスツール８０２は、略円柱形状を有しており、スツール本体部２の側面に表面が布で覆われて着座部２１から連続した脚接触部２７ｂが位置し、スツール本体部２の側面における少なくとも１箇所に把手３２が設けられた硬質材料の保護部３が位置することにより、保護部３が位置する非着座方向（矢印ＵＤ方向）以外の着座方向での着座を案内する。
【０１１７】
図１０（ｃ）に示すように、他の実施形態に係るスツール８０４は、略円柱形状を有しており、スツール本体部２の側面における上部に表面が布で覆われて着座部２１から連続した脚接触部２７ｂが保護部３の表面側に位置し、スツール本体部２の側面における下部に把手３２が設けられた硬質材料の保護部３が位置することにより、把手３２が設けられた保護部３が位置する非着座方向（矢印ＵＤ方向）以外の着座方向での着座を案内する。
【０１１８】
図１０（ｄ）に示すように、他の実施形態に係るスツール８０５は、略円柱形状を有しており、スツール本体部２の側面における１箇所の側面に表面が布で覆われて着座部２１から連続して延在する脚接触部２７ｂが保護部３の表面側に位置し、スツール本体部２の側面における少なくとも１箇所に把手３２が設けられた硬質材料の保護部３が位置することにより、着座者へ脚接触部２７ｂが位置する着座方向（矢印ＳＤ方向）での着座を案内する。
【０１１９】
また、図１０に示す他の実施形態に係るスツール８０１、８０２、８０４、８０５は、本発明の第１実施形態に係るスツール１と同様に、着座部２１と脚接触部２７ｂには着座者の座り心地を良くするために、内部にクッション材としてのスラブウレタンＵＬが配置されており、このスラブウレタンＵＬの表面には布ＣＬが張られている。
【０１２０】
なお、図１０に示す他の実施形態に係るスツール８０１、８０２、８０４、８０５であっても、本発明の第１実施形態に係るスツール１と同様の作用効果が得られる。
【０１２１】
つまり、本発明の他の実施形態に係るスツール８０１、８０２、８０４、８０５によれば、着座外機能部（保護部３）が、着座者の着座方向（矢印ＳＤ方向）を案内する着座方向案内構造を有するため、着座外機能部（保護部３）に付加機能（アロマユニット等）を設けた場合に、付加機能を有効活用することができる。したがって、着座者の満足感の低下を抑制することができる。
【０１２２】
また、本発明の他の実施形態に係るスツール８０１、８０２、８０４、８０５によれば、着座機能部（脚接触部２７ｂ）の表面に、軟質素材（スラブウレタンＵＬ、布ＣＬ）によって構成される軟質素材構造が形成され、着座外機能部（保護部３）の表面に、硬質素材（ＡＢＳ樹脂、木材）によって構成される硬質素材構造が形成されているため、着座者の座り心地を良くすることができるとともに、付加機能（アロマユニット等）を有効に活用することができる。
【０１２３】
さらに、本発明の他の実施形態に係るスツール８０１、８０２、８０４、８０５によれば、図１０に示すように着座外機能部（保護部３）における上方位置に把手３２が設けられているので、スツール８０１、８０２、８０４、８０５の持ち運びを容易に行うことができる。また、上方に把手３２を設けることで、スツール８０１、８０２、８０４、８０５を持ち上げた際のバランスを保ちやすくすることができる。
【０１２４】
また、本発明の他の実施形態に係る８０１、８０２、８０４、８０５は、側壁部における下方位置に、側壁部を保護する保護部材（保護部３）が設けられており、保護部材によって着座外機能部（保護部３）が構成されているため、側壁部を蹴られた場合などの衝撃等から好適に保護することができる。
【０１２５】
以上、本発明のスツールを図示の実施形態に基づいて説明したが、本発明はこれに限定されるものではなく、各部の構成は、同様の機能を有する任意の構成のものに置き換えることができる。
【０１２６】
例えば、上述した実施形態では、一人掛け用のスツールの場合について説明したが、一人掛け用に限定されず、二人掛け用や三人掛け用等に適宜変更が可能である。
【０１２７】
また、上述した実施形態では、保護部３、１０３の外周部３１ｃによって、スツール１、１０１を外周にわたって保護する場合について説明したが、外周の一部を保護する保護部へ適宜変更が可能である。
【符号の説明】
【０１２８】
１              スツール
２              スツール本体部
２ａ            上面部
２ｂ            側壁部
３              保護部
４              ベース部
２１            着座部
２２            芯材部
２３            分割体
２３ａ          第一の分割体
２３ｂ          第２の分割体
２４ａ、２４ｂ  空気孔
２５            凸型接合ボス
２６            凹型接合ボス
２７ａ          保護カバー当接部
２７ｂ          脚接触部
３１ａ          第一の保護カバー
３１ｂ          第二の保護カバー
３１ｃ          外周部
３１ｄ          延在部
３２            把手
３３            アロマユニット
３４            把手取付孔
３５            ユニット取付孔
３６            ユニット本体
３７            ラッチ受け座
３８            ユニット受けカバー
３９            プッシュラッチ
４１            ベース板
４２            吸気孔
４３            低床キャスター
４４            キャスター孔
１０１                          スツール（第２実施形態）
１０３                          保護部材（第２実施形態）
１２３                          脚接触部（第２実施形態）
４０１、５０１                  スツール（他の実施形態）
６０１、６０３、６０５、６０６  スツール（他の実施形態）
７０１〜７０４                  スツール（他の実施形態）
８０１、８０２、８０４、８０５  スツール（他の実施形態）
【図１】
2015085136.tif 000003
【図２】
2015085136.tif 000004
【図３】
2015085136.tif 000005
【図４】
2015085136.tif 000006
【図５】
2015085136.tif 000007
【図６】
2015085136.tif 000008
【図７】
2015085136.tif 000009
【図８】
2015085136.tif 000010
【図９】
2015085136.tif 000011
【図１０】
2015085136.tif 000012